(57)【要約】 【課題】  本発明は、頑丈で壊れにくく、簡単に作成することができ、維持費もほとんど掛からずに、広告宣伝の効果も大きくすることができる文字入りプランターを提供することを目的とするものである。【解決手段】  本発明は、石板を箱形に組み立てたプランターの外面に研磨剤を吹き付けることにより文字又は図柄を彫り込み、前記文字又は図柄の溝に発光塗料を圧縮空気により霧状にして吹き付けることを特徴とする文字入りプランター及びその製造方法の構成とした。【選択図】  図１
2006034226.tif 000002
【特許請求の範囲】
【請求項１】
石板を箱形に組み立てたプランターの外面に研磨剤を吹き付けることにより文字又は図柄を彫り込み、前記文字又は図柄の溝に発光塗料を圧縮空気により霧状にして吹き付けることを特徴とする文字入りプランター。
【請求項２】
石板を箱型に組み立てるプランター製造の工程、前記プランター製造の工程で組み立てたプランターの外面に研磨剤を吹き付けて文字又は図柄の溝を彫り込むサンドブラスト加工の工程、前記サンドブラスト加工の工程で彫った文字又は図柄に付ける発光塗料を作成する塗料作成の工程及び前記塗料作成の工程で作成した発光塗料を圧縮空気により霧状にして文字又は図柄の溝に吹き付ける塗料吹付けの工程からなることを特徴とする文字入りプランターの製造方法。
【発明の詳細な説明】
【技術分野】
【０００１】
本発明は、プランターに文字又は図柄を入れ、広告宣伝することができるようにした文字入りプランターに関する発明である。
【背景技術】
【０００２】
植物の栽培容器の１つであるプランターは、直方体状の箱型に形成されたプラスチック製のものが多く利用されている。プランターにより手軽に草花を栽培することができ、家庭で利用する他に歩道や公園等の様々な場所に設置される。
【０００３】
商店街等に置かれたプランターは、広告宣伝に利用されることもあり、特許文献１に記載の発明のように、プランターに複数の発光ダイオードを配置し、文字や図形を表示させて広告宣伝する発明も公開されている。
【特許文献１】特開平０７−２５５２８４号公報
【発明の開示】
【発明が解決しようとする課題】
【０００４】
しかしながら、発光ダイオードを使用した場合、広告宣伝の効果は大きいが、電気代などの維持費も大きく掛かるし、電源等の配線を引いたり、電池を交換するなどの手間も掛かってしまう。
【０００５】
また、歩道などに置いた場合、プラスチック製のプランターでは、物が当たって割れたり壊れたりすることもあるし、雨などが降った際には、電気回路が故障して発光することができなくなる可能性もある。
【０００６】
そこで、本発明は、頑丈で壊れにくく、簡単に作成することができ、維持費もほとんど掛からずに、広告宣伝の効果も大きくすることができる文字入りプランターを提供することを目的とするものである。
【課題を解決するための手段】
【０００７】
本発明は、上記の課題を解決するために、石板を箱形に組み立てたプランター２の外面に研磨剤６ｂを吹き付けることにより文字又は図柄３を彫り込み、前記文字又は図柄３の溝３ａに発光塗料８ｂを圧縮空気により霧状にして吹き付けることを特徴とする文字入りプランター１及びその製造方法１ａの構成とした。
【発明の効果】
【０００８】
本発明は、以上の構成であるから以下の効果が得られる。第１に、磨くことで光沢の出る御影石などでプランターを作成するため、頑丈で壊れにくく、見た目にも良いプランターにすることができる。
【０００９】
第２に、サンドブラスト加工により文字や図柄を彫り込み、発光塗料を吹き付けるだけで、簡単にプランターに広告宣伝を付けることができ、作成後はほとんど維持費も掛かることがない。
【発明を実施するための最良の形態】
【００１０】
石の種類又は発光塗料の成分や色は、プランターを使用する場所に応じて自由に調整できるものとする。また、文字や図柄の溝の彫り方又は発光塗料の吹付けについても、他に優れた方法があれば、その方法で行っても良い。
【実施例１】
【００１１】
以下に、添付図面に基づいて、本発明である文字入りプランターについて詳細に説明する。図１は、本発明である文字入りプランターの斜視図である。文字入りプランター１を使用した状況を示す。
【００１２】
文字入りプランター１は、石板を箱形に組み立てたプランター２の外面に研磨剤６ｂを吹き付けることにより文字又は図柄３を彫り込み、前記文字又は図柄３の溝３ａに発光塗料８ｂを圧縮空気により霧状にして吹き付けることを特徴とする。
【００１３】
文字入りプランター１は、外面に文字又は図柄３を付したプランター２からなる。プランター２は、上面の空いた石製の箱で、内側に草花等４を植えて、場所を選ばずに栽培することができる。
【００１４】
文字又は図柄３を付する箇所は、通常は正面側に付するが、背面側、左側面側又は右側面側にも付して良い。図１では、文字又は図柄３は「ありがとうございました」の文字であるが、文字又は図柄３の大きさ、書体及び内容も自由である。
【００１５】
草花等４は、プランター２の内部に直接土を入れて植えることもできるし、従来のプラスチックのプランターに植えたまま、本発明のプランター２の内部に収納するようにしても良い。
【００１６】
更に、従来のプラスチックのプランターを利用する場合、図１では、５本の草花等４が植えてあるが、従来のプラスチックのプランター１つに５本植えても良いし、５個の植木鉢に１本ずつ植えても良い。
【００１７】
プランター２は、草花等４を栽培するのが最も主要な目的であるため、プランター２を置く場所や植える草花等４の種類等により、適した大きさや形状のものを使用する必要がある。
【００１８】
図２は、本発明である文字入りプランターの文字又は図柄の拡大図である。文字入りプランター１のプランター２の外面には、文字又は図柄３が刻み込まれる。図１における文字又は図柄３のうち「ありが」の部分のみ拡大して示す。
【００１９】
文字又は図柄３は、プランター２に対して約３ミリメートルの深さの溝３ａを彫ることにより付される。プランター２は石製であるが、サンドブラスト等の方法により簡単に文字又は図柄３の溝３ａを彫り込むことができる。
【００２０】
サンドブラストとは、エアコンプレッサーを用いて、表面に砂などの研磨剤６ｂを吹き付け、彫刻を施す加工方法のことである。尚、エアコンプレッサーは、空気ポンプの一種で圧縮空気を作る機械で、往復式、回転式又は遠心式などの種類がある。
【００２１】
文字又は図柄３を彫った溝３ａに対しては、エアブラシ８ａ等で色を付ける。エアブラシ８ａは、圧縮空気により塗料を霧状にして吹き付ける器具であり、エアガンと言うこともある。
【００２２】
文字又は図柄３に付ける塗料には、発光塗料８ｂを使用するので、周りが暗くなった場合でも、文字又は図柄３が光って目立たせることができるため、広告宣伝としての効果も大きくなる。
【００２３】
石製のプランター２に文字又は図柄３の溝３ａを刻むので、単に塗料で文字又は図柄３を描いた場合に比べて消えてしまうということがほとんどなく、広告宣伝効果が永久的に持続する。
【実施例２】
【００２４】
図３は、本発明である文字入りプランターの製造方法を示すフローチャートである。図１の文字入りプランター１は、文字入りプランターの製造方法１ａの手順により製造することができる。
【００２５】
文字入りプランターの製造方法１ａは、石板を箱型に組み立てるプランター製造５の工程、前記プランター製造５の工程で組み立てたプランター２の外面に研磨剤６ｂを吹き付けて文字又は図柄３の溝３ａを彫り込むサンドブラスト加工６の工程、前記サンドブラスト加工６の工程で彫った文字又は図柄３に付ける発光塗料８ｂを作成する塗料作成７の工程及び前記塗料作成７の工程で作成した発光塗料８ｂを圧縮空気により霧状にして文字又は図柄３の溝３ａに吹き付ける塗料吹付け８の工程からなることを特徴とする。
【００２６】
プランター製造５の工程では、石板を直方体状の箱型に組み立て、プランター２を製造する。尚、プランター２を構成する石板を用意するだけで、組み立てを後の工程に回しても構わない。
【００２７】
サンドブラスト加工６の工程では、プランター製造５の工程で組み立てたプランター２にサンドブラスト等の方法により文字又は図柄３の溝３ａを彫り込む。尚、サンドブラスト加工６の工程は、プランター２を組み立てる前であっても構わない。
【００２８】
塗料作成７の工程では、サンドブラスト加工６の工程で刻んだ文字又は図柄３に付ける発光塗料８ｂを作成する。尚、塗料作成７の工程は、塗料吹付け８の工程の前であれば、どの段階で行っても良い。
【００２９】
塗料吹付け８の工程では、サンドブラスト加工６の工程で彫った文字又は図柄３の溝３ａに、塗料作成７の工程で作成した発光塗料８ｂを、エアブラシ８ａ等を用いて吹き付けて仕上げる。
【００３０】
文字入りプランターの製造方法１ａは、工程の順番を変えて行うことができる場合もあるが、プランター製造５、サンドブラスト加工６、塗料作成７及び塗料吹付け８の工程を経ることにより、文字入りプランター１が完成する。
【００３１】
図４は、本発明である文字入りプランターの製造方法のプランター製造の工程で製造するプランターの斜視図である。プランター製造５の工程におけるプランター２は、正面板２ａ、背面板２ｂ、左側面板２ｃ及び右側面板２ｄからなる。
【００３２】
プランター２は、４枚の板を箱型に組んだもので、内部は中空であり、上面は空き面２ｅである。尚、下面は空き面としても良いし、板を嵌めて底板としても良い。プランター２に直接草花等４を植える場合は、底板を付けた方が良く、従来のプランターの周りを囲む場合には、底板は無くても構わない。
【００３３】
プランター２の材質である石の種類としては、Ｇ６３３という御影石などが用いられる。御影石は、兵庫県御影地方が主産地である花崗岩であり、磨くことで光沢が出るため、建築用材などに利用される。Ｇ６３３の特徴としては、太陽が当たり日焼けすることで、鮮やかなピンク色に変化する。
【００３４】
プランター２の寸法の例としては、正面板２ａ及び背面板２ｂを縦６３ｃｍ、横２２１ｃｍ、厚さ３ｃｍとし、左側面板２ｃ及び右側面板２ｄを縦６３ｃｍ、横８０ｃｍ、厚さ３ｃｍとする。ただし、プランター２の寸法や形状は、例として挙げたものに限定されず、例えば多角柱状や円柱状にしたりすることもできる。
【００３５】
図５は、本発明である文字入りプランターの製造方法のサンドブラスト加工の工程を示す図である。サンドブラスト加工６の工程における文字又は図柄３の溝３ａは、サンドブラストの方法により彫る。
【００３６】
サンドブラストでは、エアコンプレッサー６ａにより、表面に砂などの研磨剤６ｂを吹き付け、プランター２を削る。プランター２には、文字又は図柄３の部分を切り抜いたシート６ｃを被せ、切り抜きの箇所のみを削り取る。
【００３７】
図５においては、プランター２にはまだ文字又は図柄３の溝３ａは彫られておらず、「ありがとう」という文字を切り抜いたシート６ｃを被せ、エアコンプレッサー６ａから研磨剤６ｂを吹き付けている。
【００３８】
シート６ｃを利用することにより、余計な部分は削られず、文字又は図柄３の部分のみ綺麗に溝３ａを彫ることができる。石などのように削りづらい材質の場合は、サンドブラスト等の方法が有効である。
【００３９】
図６は、本発明である文字入りプランターの製造方法の塗料混合の工程における塗料の成分及び分量を示す表である。塗料作成７の工程における発光塗料８ｂは、複数の成分を混合したものである。
【００４０】
図６に示すように、発光塗料８ｂの成分７ａは、ラッカーエナメル白、ラッカーシンナー、砂及び貝の粉であり、ラッカーエナメル白、ラッカーシンナーが液体で、砂及び貝の粉が固体である。
【００４１】
成分７ａの分量７ｂについては、ラッカーエナメル白が２０ｍｌ、ラッカーシンナーが３０ｍｌ、砂が０．２ｇ、貝の粉が０．５ｇである。砂及び貝の粉を混合することにより、文字又は図柄３がキラキラと光って見える。
【００４２】
尚、ラッカーエナメルとは、硝酸セルロース等を揮発性溶剤に溶かした光沢のある塗料で、乾燥が非常に速く、耐水性及び耐摩耗性に優れる。また、ラッカーシンナーとは、塗料の原料を薄めて塗りやすくするための有機溶媒である。
【００４３】
発光塗料８ｂの成分７ａは、図６の表以外のものを混合しても良いし、分量７ｂも発光塗料８ｂとしてより効果の大きくなるように調整するものとする。発光塗料８ｂの色についても、石との関係で見やすいものになるようにする。
【００４４】
図７は、本発明である文字入りプランターの製造方法の塗料吹付けの工程を示す図である。塗料吹付け８の工程においては、エアブラシ８ａ等を使用して発光塗料８ｂを吹き付ける。
【００４５】
図７では、文字又は図柄３として「ありが」が示されており、「ありが」の文字のうち、「あ」の溝３ａのみが塗装済みで、「り」の溝３ａにエアブラシ８ａを使用して発光塗料８ｂを吹き付けている状況である。
【００４６】
プランター２の素材が石であるため、エアブラシ８ａを使用した方が発光塗料８ｂを付着させやすく、また、エアブラシ８ａを使用すると、発光塗料８ｂの濃淡を調整することも容易である。
【００４７】
図５のサンドブラストで使用したシート６ｃを付けたままであれば、溝３ａ以外に発光塗料８ｂが付くことを防ぐことができる。見た目に良いことも、広告宣伝する上では重要なことである。
【００４８】
以上のように、本発明である文字入りプランター１は、磨くことで光沢の出る御影石などでプランターを作成するため、頑丈で壊れにくく、見た目にも良いプランターにすることができる。
【００４９】
また、サンドブラスト加工により文字や図柄を彫り込み、発光塗料を吹き付けるだけで、簡単にプランターに広告宣伝を付けることができ、作成後はほとんど維持費も掛かることがない。
【産業上の利用可能性】
【００５０】
プランター以外にも、石製の壁や床のタイルなどに対して、文字を彫り込んで、塗料を吹き付けることにより、広告宣伝することができる。また、石碑に文字を刻んだり、石の置物に文字を入れる場合など様々なものに利用できる。
【図面の簡単な説明】
【００５１】
【図１】本発明である文字入りプランターの斜視図である。
【図２】本発明である文字入りプランターの文字又は図柄の拡大図である。
【図３】本発明である文字入りプランターの製造方法を示すフローチャートである。
【図４】本発明である文字入りプランターの製造方法のプランター製造の工程で製造するプランターの斜視図である。
【図５】本発明である文字入りプランターの製造方法のサンドブラスト加工の工程を示す図である。
【図６】本発明である文字入りプランターの製造方法の塗料混合の工程における塗料の成分及び分量を示す表である。
【図７】本発明である文字入りプランターの製造方法の塗料吹付けの工程を示す図である。
【符号の説明】
【００５２】
１        文字入りプランター
１ａ      文字入りプランターの製造方法
２        プランター
２ａ      正面板
２ｂ      背面板
２ｃ      左側面板
２ｄ      右側面板
２ｅ      空き面
３        文字又は図柄
３ａ      溝
４        草花等
５        プランター製造
６        サンドブラスト加工
６ａ      エアコンプレッサー
６ｂ      研磨剤
６ｃ      シート
７        塗料作成
７ａ      成分
７ｂ      分量
８        塗料吹付け
８ａ      エアブラシ
８ｂ      発光塗料
【図１】
2006034226.tif 000003
【図２】
2006034226.tif 000004
【図３】
2006034226.tif 000005
【図４】
2006034226.tif 000006
【図５】
2006034226.tif 000007
【図６】
2006034226.tif 000008
【図７】
2006034226.tif 000009